(57)【要約】【課題】車載機と接続する携帯端末を切り替えても、面倒な操作を行うことなく、それまでと同じラジオ局を引き継いで音楽再生を行うことができる「ステーション情報に基づく音楽再生システム、音楽再生装置およびステーション情報の引き継ぎ方法」を提供する。【解決手段】第１の携帯端末２０-1がラジオ局を指定してインターネットラジオの楽曲コンテンツを受信しているときに、第１の携帯端末２０-1から第２の携帯端末２０-2への接続切替が検出された場合、第１の携帯端末２０-1で指定されているラジオ局の識別情報を車載機１０が第１の携帯端末２０-1から取得して第２の携帯端末２０-2に転送することにより、第２の携帯端末２０-2が当該転送された識別情報に基づいて、第１の携帯端末２０-1と同じラジオ局を指定してインターネットラジオの楽曲コンテンツを配信サーバ３０から受信することができるようにする。【選択図】図２
2015222848.tif 000002
【特許請求の範囲】
【請求項１】
あらかじめ設定されたラジオ局のステーション情報に基づいて配信サーバから送信されてくるインターネットラジオの楽曲コンテンツを受信する携帯端末と、当該携帯端末に接続される音楽再生装置とを備え、上記携帯端末で受信した楽曲コンテンツを上記音楽再生装置に転送して音楽再生を行うようになされた音楽再生システムであって、
上記携帯端末は、
上記ラジオ局を指定して上記配信サーバから上記インターネットラジオの楽曲コンテンツを受信する楽曲コンテンツ受信部を備え、
上記音楽再生装置は、
接続する携帯端末を切り替える接続切替部と、
第１の携帯端末が上記ラジオ局を指定して上記インターネットラジオの楽曲コンテンツを受信中に、上記接続切替部による上記第１の携帯端末から第２の携帯端末への接続切替が検出されたとき、上記第１の携帯端末から当該第１の携帯端末で指定されているラジオ局のステーション情報または識別情報を取得するステーション取得部と、
上記ステーション取得部により取得された上記ステーション情報または上記識別情報を上記第２携帯端末に転送するステーション転送部と、
上記楽曲コンテンツ受信部により受信された上記楽曲コンテンツの転送を受けて音楽再生を行う音楽再生部とを備えたことを特徴とするステーション情報に基づく音楽再生システム。  
【請求項２】
上記音楽再生装置は、上記接続切替部により上記第１の携帯端末から上記第２の携帯端末への接続切替が行われたときに、上記第２の携帯端末において実行中のアプリケーションの種別を判定するアプリケーション判定部を更に備え、
上記ステーション転送部は、上記第１の携帯端末が上記ラジオ局を指定して上記インターネットラジオの楽曲コンテンツを受信中に、上記接続切替部により上記第１の携帯端末から上記第２の携帯端末への接続切替が行われ、かつ、上記第２の携帯端末において音楽再生機能に関するアプリケーションが実行されていないことが上記アプリケーション判定部により判定されたときに、上記ラジオ局のステーション情報または識別情報を上記第２の携帯端末に転送することを特徴とする請求項１に記載のステーション情報に基づく音楽再生システム。
【請求項３】
上記音楽再生装置は、当該音楽再生装置と接続中である上記第１の携帯端末のバッテリ残量が所定値以下になったことを検出するバッテリ残量検出部を更に備え、
上記接続切替部は、上記第１の携帯端末のバッテリ残量が所定値以下になったことが上記バッテリ残量検出部によりを検出された場合、上記音楽再生装置と接続する携帯端末を上記第１の携帯端末から上記第２の携帯端末に自動的に切り替えることを特徴とする請求項１に記載のステーション情報に基づく音楽再生システム。
【請求項４】
上記音楽再生装置は、当該音楽再生装置と接続中である上記第１の携帯端末による受信電波強度が所定値以下になったことを検出する電波強度検出部を更に備え、
上記接続切替部は、上記第１の携帯端末による受信電波強度が所定値以下になったことが上記電波強度検出部によりを検出された場合、上記音楽再生装置と接続する携帯端末を上記第１の携帯端末から上記第２の携帯端末に自動的に切り替えることを特徴とする請求項１に記載のステーション情報に基づく音楽再生システム。
【請求項５】
上記音楽再生装置は、当該音楽再生装置と接続中である上記第１の携帯端末のパケット通信量が所定値以上になったことを検出するパケット量検出部を更に備え、
上記接続切替部は、上記第１の携帯端末のパケット通信量が所定値以上になったことが上記パケット量検出部によりを検出された場合、上記音楽再生装置と接続する携帯端末を上記第１の携帯端末から上記第２の携帯端末に自動的に切り替えることを特徴とする請求項１に記載のステーション情報に基づく音楽再生システム。
【請求項６】
上記音楽再生装置は、当該音楽再生装置と接続中である上記第１の携帯端末のバッテリ残量が所定値以下になったことを検出するバッテリ残量検出部を更に備え、
上記接続切替部は、上記第１の携帯端末のバッテリ残量が所定値以下になったことが上記バッテリ残量検出部によりを検出された場合、接続切替を促すメッセージの出力に応じて行われるユーザ操作に応じて、上記音楽再生装置と接続する携帯端末を上記第１の携帯端末から上記第２の携帯端末に切り替えることを特徴とする請求項１に記載のステーション情報に基づく音楽再生システム。
【請求項７】
上記音楽再生装置は、当該音楽再生装置と接続中である上記第１の携帯端末による受信電波強度が所定値以下になったことを検出する電波強度検出部を更に備え、
上記接続切替部は、上記第１の携帯端末による受信電波強度が所定値以下になったことが上記電波強度検出部によりを検出された場合、接続切替を促すメッセージの出力に応じて行われるユーザ操作に応じて、上記音楽再生装置と接続する携帯端末を上記第１の携帯端末から上記第２の携帯端末に切り替えることを特徴とする請求項１に記載のステーション情報に基づく音楽再生システム。
【請求項８】
上記音楽再生装置は、当該音楽再生装置と接続中である上記第１の携帯端末のパケット通信量が所定値以上になったことを検出するパケット量検出部を更に備え、
上記接続切替部は、上記第１の携帯端末のパケット通信量が所定値以上になったことが上記パケット量検出部によりを検出された場合、接続切替を促すメッセージの出力に応じて行われるユーザ操作に応じて、上記音楽再生装置と接続する携帯端末を上記第１の携帯端末から上記第２の携帯端末に切り替えることを特徴とする請求項１に記載のステーション情報に基づく音楽再生システム。
【請求項９】
あらかじめ設定されたラジオ局のステーション情報に基づいて配信サーバから送信されてくるインターネットラジオの楽曲コンテンツを受信する機能を備えた携帯端末と接続し、当該携帯端末から転送されてくる楽曲コンテンツを用いて音楽再生を行うようになされた音楽再生装置であって、
接続する携帯端末を切り替える接続切替部と、
上記接続切替部による第１の携帯端末から第２の携帯端末への接続切替が検出されたとき、上記第１の携帯端末で指定されているラジオ局のステーション情報または識別情報を上記第１の携帯端末から取得するステーション取得部と、
上記ステーション取得部により取得された上記ステーション情報または上記識別情報を上記第２携帯端末に転送するステーション転送部と、
上記第１の携帯端末または上記第２の携帯端末が上記ラジオ局を指定して上記配信サーバから受信した上記楽曲コンテンツの転送を受けて音楽再生を行う音楽再生部とを備えたことを特徴とする音楽再生装置。
【請求項１０】
上記接続切替部により上記第１の携帯端末から上記第２の携帯端末への接続切替が行われたときに、上記第２の携帯端末において実行中のアプリケーションの種別を判定するアプリケーション判定部を更に備え、
上記ステーション転送部は、上記第１の携帯端末が上記ラジオ局を指定して上記インターネットラジオの楽曲コンテンツを受信中に、上記接続切替部により上記第１の携帯端末から上記第２の携帯端末への接続切替が行われ、かつ、上記第２の携帯端末において音楽再生機能に関するアプリケーションが実行されていないことが上記アプリケーション判定部により判定されたときに、上記ラジオ局のステーション情報または識別情報を上記第２の携帯端末に転送することを特徴とする請求項９に記載の音楽再生装置。
【請求項１１】
上記ステーション転送部は、上記ステーション取得部により取得された上記ステーション情報または上記識別情報を上記第２携帯端末に転送する際に、上記インターネットラジオのアプリケーションの起動命令を送信し、上記転送する上記ステーション情報または上記識別情報に基づいて上記ラジオ局を指定して上記インターネットラジオの楽曲コンテンツを上記配信サーバから受信するように上記第２の携帯端末に指示することを特徴とする請求項９に記載の音楽再生装置。
【請求項１２】
あらかじめ設定されたラジオ局のステーション情報に基づいて配信サーバから送信されてくるインターネットラジオの楽曲コンテンツを受信する携帯端末と、当該携帯端末に接続される音楽再生装置とを備え、上記携帯端末で受信した楽曲コンテンツを上記音楽再生装置に転送して音楽再生を行うようになされた音楽再生システムにおいて、上記音楽再生装置と接続する携帯端末の切り替え時に上記ステーン情報を引き継ぐための方法であって、
上記音楽再生装置の接続切替部が、当該音楽再生装置と接続する携帯端末の切り替えを検出する第１のステップと、
第１の携帯端末から第２の携帯端末への接続切替が上記接続切替部により検出された場合、上記音楽再生装置のステーション取得部が、上記第１の携帯端末で指定されているラジオ局のステーション情報または識別情報を上記第１の携帯端末から取得する第２のステップと、
上記音楽再生装置のステーション転送部が、上記ステーション取得部により取得された上記ステーション情報または上記識別情報を上記第２携帯端末に転送する第３のステップとを有することを特徴とするステーション情報の引き継ぎ方法。
【請求項１３】
上記第１の携帯端末から上記第２の携帯端末への接続切替が上記第１のステップで検出された場合、上記音楽再生装置のアプリケーション判定部が、上記第２の携帯端末において実行中のアプリケーションの種別を判定する第４のステップを更に有し、
上記第３のステップにおいて、上記ステーション転送部は、上記第１の携帯端末から上記第２の携帯端末への接続切替が行われたことを検出し、かつ、上記第２の携帯端末において音楽再生機能に関するアプリケーションが実行されていないことが上記アプリケーション判定部により判定されたときに、上記ラジオ局のステーション情報または識別情報を上記第２の携帯端末に転送することを特徴とする請求項１２に記載のステーション情報の引き継ぎ方法。
【発明の詳細な説明】
【技術分野】
【０００１】
本発明は、ステーション情報に基づく音楽再生システム、音楽再生装置およびステーション情報の引き継ぎ方法に関し、特に、インターネットラジオ等の音楽配信サービスを利用して音楽再生を行う音楽再生システムに用いて好適なものである。
【背景技術】
【０００２】
近年、インターネットを介して音楽配信をストリーミング方式で行うインターネットラジオサービスが普及してきている。インターネットラジオには、オンデマンド方式によるものと、ライブ方式によるものとがある。オンデマンド方式は、楽曲コンテンツを事前に収録して配信サーバ上に保存しておき、ユーザが使用する端末からのリクエストによっていつでも配信できるようにした方式である。ライブ方式は、楽曲コンテンツをリアルタイムに生成して端末に配信する方式である。
【０００３】
オンデマンド方式によるインターネットラジオサービスでは、ユーザ専用のラジオ局を作成することが可能である。ラジオ局は、ユーザがお気に入りのジャンル、アーティスト名、楽曲タイトル名、作曲者名などの属性情報を指定することによって作成する。ラジオ局を作成してそれを楽曲コンテンツの配信サーバに登録すると、属性情報に関連付けられた楽曲コンテンツや、当該楽曲コンテンツとリズムまたはサウンドの似た楽曲コンテンツがインターネットを通じてストリーム配信される。
【０００４】
この種のインターネットラジオサービスをスマートフォンなどの携帯端末で利用する場合、ユーザは携帯端末にインストールされている専用アプリケーションに対して、聴きたい楽曲に関連するジャンル、アーティスト名、楽曲タイトル名または作曲者名などの属性情報を入力する。すると、携帯端末は、その属性情報に基づくユーザ専用のラジオ局を作成する。そして、携帯端末は、インターネットを介して、作成したラジオ局のステーション情報を楽曲コンテンツ配信サーバに送信する。配信サーバは、携帯端末から送信されたステーション情報で示される属性情報に関連付けられている楽曲コンテンツや、当該楽曲コンテンツとリズムやサウンドの似た楽曲コンテンツを抽出し、携帯端末に順次送信する。携帯端末は、配信サーバから順次送信された楽曲コンテンツを再生して音声出力する。
【０００５】
近年では、携帯端末と車載機とを接続し、配信サーバから携帯端末に配信された楽曲コンテンツを、携帯端末から車載機に転送して再生できるようにしたシステムも提供されている。この種のシステムを利用して携帯端末と車載機とを連携させれば、車内に装備された高性能なオーディオ設備を利用して、高音質の音楽再生を実現することが可能である。また、携帯端末にて取得したインターネットラジオの音楽再生を、車内のオーディオ設備を利用して搭乗者全員で楽しむことができる。
【０００６】
なお、あるユーザが所持するスマートフォンＡをＡＶ装置に接続してインターネットラジオを視聴しているとき、別のユーザがそのとき視聴した楽曲を気に入ったような場合に、スマートフォンＡを用いて視聴中のラジオ局のステーション情報を、別のユーザが所持するスマートフォンＢにコピーする（ステーション情報をスマートフォンＡからＡＶ装置にエクスポートして、ＡＶ装置からスマートフォンＢにインポートする）ことができるようにした技術が提案されている（例えば、特許文献１参照）。
【０００７】
また、携帯オーディオ装置のバッテリ残量が所定値以下であると判定された場合に、現在再生中の楽曲と同じ楽曲または同じジャンルに属する楽曲を車載用オーディオ装置から再生するようにした技術も提案されている（例えば、特許文献２，３参照）。
【先行技術文献】
【特許文献】
【０００８】
【特許文献１】特開２０１２−２２１３９１号公報
【特許文献２】特開２００８−１１７４６９号公報
【特許文献３】特開２００９−１５２８２８号公報
【発明の概要】
【発明が解決しようとする課題】
【０００９】
ところで、ある携帯端末を車載機に接続してインターネットラジオによる音楽再生をしているときに、車載機に接続する携帯端末を別の携帯端末に切り替えたい場合がある。例えば、接続中の携帯端末のバッテリ残量が少なくってきた場合、接続中の携帯端末による受信電波強度が低下した場合、定額で利用可能なパケット量を超えそうな場合、別の携帯端末にのみインストールされているアプリケーションを利用したい場合などに、車載機に接続する携帯端末を別の携帯端末に切り替えたい要望が生じる。
【００１０】
しかしながら、車載機に接続する携帯端末を別の携帯端末に切り替えると、それまでと同じラジオ局のインターネットラジオを視聴することができなくなってしまうという問題があった。切り替えた後の別の携帯端末を利用して元のラジオ局のインターネットラジオを視聴するためには、当該別の携帯端末にも同じラジオ局を作成するために多くの操作をしなければならず、非常に面倒であった。
【００１１】
本発明は、このような問題を解決するために成されたものであり、車載機と接続する携帯端末を切り替えても、面倒な操作を行うことなく、それまでと同じラジオ局を引き継いでインターネットラジオの音楽再生を行うことができるようにすることを目的とする。
【課題を解決するための手段】
【００１２】
上記した課題を解決するために、本発明では、車載機に接続された第１の携帯端末がラジオ局を指定してインターネットラジオの楽曲コンテンツを受信しているときに、第１の携帯端末から第２の携帯端末への接続切替が行われた場合、第１の携帯端末で指定されているラジオ局のステーション情報または識別情報を車載機が第１の携帯端末から取得して第２の携帯端末に転送し、第２の携帯端末が当該転送されたステーション情報または識別情報に基づいてラジオ局を指定してインターネットラジオの楽曲コンテンツを配信サーバから受信するようにしている。
【発明の効果】
【００１３】
上記のように構成した本発明によれば、車載機と接続する携帯端末を第１の携帯端末から第２の携帯端末に切り替えると、そのとき第１の携帯端末で指定されていたラジオ局のステーション情報または識別情報が、車載機経由で第１の携帯端末から第２の携帯端末に転送され、第２の携帯端末でも同じラジオ局を指定してインターネットラジオの楽曲コンテンツの受信を行うことが可能となる。これにより、ユーザが第２の携帯端末に同じラジオ局を作成するといった面倒な操作を行うことなく、第１の携帯端末と同じラジオ局を第２の携帯端末に引き継いでインターネットラジオの音楽再生を行うことができる。
【図面の簡単な説明】
【００１４】
【図１】本実施形態によるステーション情報に基づく音楽再生システムの構成例を示す図である。
【図２】本実施形態による音楽再生システムの機能構成例を示すブロック図である。
【図３】本実施形態による車載機の動作例を示すフローチャートである。
【図４】本実施形態による音楽再生システムの他の機能構成例を示すブロック図である。
【図５】本実施形態による音楽再生システムの他の機能構成例を示すブロック図である。
【図６】本実施形態による音楽再生システムの他の機能構成例を示すブロック図である。
【図７】本実施形態による音楽再生システムの他の機能構成例を示すブロック図である。
【図８】本実施形態による車載機の他の動作例を示すフローチャートである。
【発明を実施するための形態】
【００１５】
以下、本発明の一実施形態を図面に基づいて説明する。図１は、本実施形態によるステーション情報に基づく音楽再生システムの構成例を示す図である。図１に示すように、本実施形態の音楽再生システム１は、あらかじめ設定されたラジオ局のステーション情報に基づいて配信サーバ３０からインターネット４０を介して送信されてくるインターネットラジオの楽曲コンテンツを受信する携帯端末２０-1，２０-2と、当該携帯端末２０-1，２０-2に接続され得る車載機（音楽再生装置の一例）１０とを備え、携帯端末２０-1，２０-2で受信した楽曲コンテンツを車載機１０に転送して音楽再生を行うようになされている。携帯端末２０-1，２０-2は、例えばスマートフォンである。
【００１６】
図１の例では、２台の携帯端末２０-1，２０-2が示されており、そのうち１台が車載機１０と接続されている。この接続は、ブルートゥースまたはＷｉ−Ｆｉなどの無線通信手段を用いて行われている。これにより、車載機１０と接続する携帯端末を第１の携帯端末２０-1から第２の携帯端末２０-2へと簡単に切り替えることができるようになっている。どちらの携帯端末２０-1，２０-2にも、インターネットラジオサービスを利用するためのアプリケーションがインストールされており、それぞれユーザが独自に設定したラジオ局のステーション情報が格納されている。
【００１７】
すなわち、第１のユーザが所持する第１の携帯端末２０-1には、当該第１のユーザが設定した好みのジャンル、アーティスト名、楽曲タイトル名または作曲者名などの属性情報に基づいて作成されたラジオ局のステーション情報が格納されている。このラジオ局のステーション情報は、第１の携帯端末２０-1から配信サーバ３０に送信して登録される。
【００１８】
配信サーバ３０は、第１の携帯端末２０-1からインターネットラジオサービスの利用が要求されると、当該第１の携帯端末２０-1に関して登録されたステーション情報で示される属性情報に関連付けられている楽曲コンテンツや、当該楽曲コンテンツとリズムやサウンドの似た楽曲コンテンツをデータベースから抽出し、第１の携帯端末２０-1に順次送信する。第１の携帯端末２０-1は、車載機１０と接続されている場合、配信サーバ３０から順次送信された楽曲コンテンツを受信して車載機１０に転送する。車載機１０は、転送された楽曲コンテンツの音楽再生を行う。
【００１９】
同様に、第２のユーザが所持する第２の携帯端末２０-2には、当該第２のユーザが設定した好みのジャンル、アーティスト名、楽曲タイトル名または作曲者名などの属性情報に基づいて作成されたラジオ局のステーション情報が格納されている。このラジオ局のステーション情報は、第２の携帯端末２０-2から配信サーバ３０に送信して登録される。
【００２０】
配信サーバ３０は、第２の携帯端末２０-2からインターネットラジオサービスの利用が要求されると、当該第２の携帯端末２０-2に関して登録されたステーション情報で示される属性情報に関連付けられている楽曲コンテンツや、当該楽曲コンテンツとリズムやサウンドの似た楽曲コンテンツをデータベースから抽出し、第２の携帯端末２０-2に順次送信する。第２の携帯端末２０-2は、車載機１０と接続されている場合、配信サーバ３０から順次送信された楽曲コンテンツを受信して車載機１０に転送する。車載機１０は、転送された楽曲コンテンツの音楽再生を行う。
【００２１】
２台の携帯端末２０-1，２０-2のうち、車載機１０と接続してアプリケーションを連携させることができるのは、何れか一方のみである。以下では説明の便宜上、当初は第１の携帯端末２０-1を車載機１０に接続しており、その後、車載機１０に接続する携帯端末を第１の携帯端末２０-1から第２の携帯端末２０-2に切り替えるものとする。
【００２２】
例えば、家族でドライブをしている際に、第１の携帯端末２０-1を車載機１０に接続してインターネットラジオサービスを利用している場合において、食事をするためにレストランを探そうとしたとする。このレストラン探しを行うために、第２の携帯端末２０-2にのみインストールされているグルメガイドのアプリケーションを車載機１０に連携させて利用したいと考えた場合、車載機１０に接続する携帯端末を第１の携帯端末２０-1から第２の携帯端末２０-2に切り替える。
【００２３】
図２は、本実施形態による音楽再生システム１の機能構成例を示すブロック図である。図２に示すように、本実施形態の車載機１０は、その機能構成として、音楽再生部１１、操作受付部１２、接続切替部１３、ステーション取得部１４およびステーション転送部１５を備えている。また、本実施形態の携帯端末２０-1，２０-2は、それぞれ、ステーション情報記憶部２１および楽曲コンテンツ受信部２２を備えている。
【００２４】
上記各機能ブロック１１〜１５，２２は、ハードウェア、ＤＳＰ（Digital Signal Processor）、ソフトウェアの何れによっても構成することが可能である。例えばソフトウェアによって構成する場合、上記各機能ブロック１１〜１５，２２は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２５】
携帯端末２０-1，２０-2のステーション情報記憶部２１は、携帯端末２０-1，２０-2に対する操作によって作成されたラジオ局のステーション情報を記憶する。ステーション情報は、ユーザが設定した好みのジャンル、アーティスト名、楽曲タイトル名または作曲者名などの属性情報、ユーザが設定したラジオ局の名称、ラジオ局を識別するための識別情報などの情報を含んでいる。ユーザが複数のラジオ局を作成した場合、ステーション情報記憶部２１には複数のステーション情報が記憶されている。このステーション情報記憶部２１に記憶されたラジオ局のステーション情報は、配信サーバ３０に送信されて登録されている。
【００２６】
楽曲コンテンツ受信部２２は、ラジオ局を指定して配信サーバ３０からインターネットラジオの楽曲コンテンツを受信する。すなわち、ステーション情報記憶部２１に記憶されたラジオ局の中から所望のラジオ局をユーザが選択すると、楽曲コンテンツ受信部２２は、その選択されたラジオ局の識別情報を配信サーバ３０に送信する。これに応じて、当該ラジオ局によって特定される楽曲コンテンツが配信サーバ３０から送られてくる。楽曲コンテンツ受信部２２は、配信サーバ３０から送られてくる楽曲コンテンツを受信して車載機１０に転送する。
【００２７】
車載機１０の音楽再生部１１は、楽曲コンテンツ受信部２２により受信された楽曲コンテンツの転送を受けて、音楽再生を行う。すなわち、音楽再生部１１は、第１の携帯端末２０-1または第２の携帯端末２０-2の楽曲コンテンツ受信部２２がラジオ局を指定して配信サーバ３０から受信した楽曲コンテンツを取得して音楽再生を行うことにより、車載機１０に接続されたスピーカ（図示せず）から楽曲音声を出力する。
【００２８】
操作受付部１２は、ユーザの車載機１０に対する各種操作を受け付ける。本実施形態では特に、車載機１０に接続する携帯端末２０-1，２０-2を切り替えるための操作を受け付ける。例えば、車載機１０に接続可能な携帯端末２０-1，２０-2の一覧をディスプレイ（図示せず）に表示させ、その中から何れかを選択する操作を受け付ける。
【００２９】
上述したように、第１の携帯端末２０-1を車載機１０に接続してインターネットラジオサービスを利用している際に、第２の携帯端末２０-2にのみインストールされているグルメガイドのアプリケーションを車載機１０に連携させて利用したいと考えた場合、ユーザは、車載機１０に接続する携帯端末として第２の携帯端末２０-2を選択する操作を行う。操作受付部１２は、このユーザ操作を受け付ける。
【００３０】
接続切替部１３は、第２の携帯端末２０-2を選択する操作を操作受付部１２が受け付けた場合、車載機１０と接続する携帯端末を第１の携帯端末２０-1から第２の携帯端末２０-2に切り替える。すなわち、接続切替部１３は、車載機１０と第１の携帯端末２０-1との接続を解除し、車載機１０と第２の携帯端末２０-2との接続を行う。
【００３１】
ステーション取得部１４は、第１の携帯端末２０-1がラジオ局を指定してインターネットラジオの楽曲コンテンツを受信中に、接続切替部１３により第１の携帯端末２０-1から第２の携帯端末２０-2への接続切替が行われたとき、第１の携帯端末２０-1で指定されているラジオ局の識別情報を第１の携帯端末２０-1から取得する。
【００３２】
具体的には、第２の携帯端末２０-2を選択する操作を操作受付部１２が受け付けたことに応じて、接続切替部１３が第１の携帯端末２０-1との接続を解除する前に、ステーション取得部１４が、第１の携帯端末２０-1で指定されているラジオ局の識別情報を第１の携帯端末２０-1から取得する。
【００３３】
ステーション転送部１５は、ステーション取得部１４により取得されたラジオ局の識別情報を第２携帯端末２０-2に転送する。具体的には、第２の携帯端末２０-2を選択する操作を操作受付部１２が受け付けたことに応じて、接続切替部１３が第１の携帯端末２０-1との接続を解除して第２の携帯端末２０-2と接続した後に、ステーション転送部１５が、ステーション取得部１４により取得されたラジオ局の識別情報を第２携帯端末２０-2に転送する。
【００３４】
第２携帯端末２０-2では、ステーション転送部１５によって車載機１０から転送されてきたラジオ局の識別情報をステーション情報記憶部２１に記憶する。そして、インターネットラジオのアプリケーションが起動された場合、楽曲コンテンツ受信部２２は、ステーション転送部１５により転送されたラジオ局の識別情報をステーション情報記憶部２１から読み出して、これに基づいてラジオ局を指定して配信サーバ３０からインターネットラジオの楽曲コンテンツを受信する。
【００３５】
すなわち、楽曲コンテンツ受信部２２は、車載機１０から転送されてきたラジオ局の識別情報を配信サーバ３０に送信する。これに応じて、当該ラジオ局によって特定される楽曲コンテンツが配信サーバ３０から送られてくる。楽曲コンテンツ受信部２２は、配信サーバ３０から送られてくる楽曲コンテンツを受信して車載機１０に転送する。
【００３６】
なお、第２の携帯端末２０-2において、グルメガイドのアプリケーションのみが起動され、インターネットラジオのアプリケーションが起動されなかった場合、車載機１０から転送されてきたラジオ局の識別情報がステーション情報記憶部２１に記憶されるのみで、配信サーバ３０からの楽曲コンテンツの受信は行われない。グルメガイドの利用中、ユーザがインターネットラジオの視聴を一時的に中断してもよいと考えた場合は、このような動作となる。
【００３７】
第１の携帯端末２０-1から取得したラジオ局の識別情報をステーション転送部１５が第２携帯端末２０-2に転送する際に、インターネットラジオのアプリケーションの起動命令を一緒に送信することにより、転送した識別情報に基づいてラジオ局を指定してインターネットラジオの楽曲コンテンツを配信サーバ３０から受信するように、第２の携帯端末２０-2に対して指示を行うようにしてもよい。このようにすれば、ユーザが第２携帯端末２０-2でインターネットラジオのアプリケーションを起動してラジオ局を指定する操作を行うことなく、それまで第１の携帯端末２０-1を用いて視聴していたラジオ局の視聴を継続して行うことができる。
【００３８】
図３は、上記のように構成した本実施形態による車載機１０の動作例を示すフローチャートである。図３に示すフローチャートは、車載機１０と第１の携帯端末２０-1とが接続され、第１の携帯端末２０-1において起動されたインターネットラジオのアプリケーションが車載機１０と連携されたときに開始する。
【００３９】
まず、音楽再生部１１は、第１の携帯端末２０-1がラジオ局を指定して配信サーバ３０から受信したインターネットラジオの楽曲コンテンツを受信し（ステップＳ１）、当該楽曲コンテンツの音楽再生を行う（ステップＳ２）。この音楽再生が行われている際に、操作受付部１２は、車載機１０に接続する携帯端末を第１の携帯端末２０-1から第２の携帯端末２０-2に切り替えるための操作を受け付けたか否かを判定する（ステップＳ３）。
【００４０】
操作受付部１２が第２の携帯端末２０-2に切り替えるための操作を受け付けていない場合、処理はステップＳ１に戻る。一方、操作受付部１２が第２の携帯端末２０-2に切り替えるための操作を受け付けた場合、ステーション取得部１４は、第１の携帯端末２０-1で指定されているラジオ局の識別情報を第１の携帯端末２０-1から取得する（ステップＳ４）。
【００４１】
続いて、接続切替部１３は、車載機１０と第１の携帯端末２０-1との接続を解除した後（ステップＳ５）、車載機１０と第２の携帯端末２０-2との接続を行う（ステップＳ６）。その後、ステーション転送部１５は、ステップＳ４でステーション取得部１４により取得されたラジオ局の識別情報を第２携帯端末２０-2に転送する（ステップＳ７）。
【００４２】
次に、音楽再生部１１は、第２携帯端末２０-2に転送された識別情報に基づいて第２の携帯端末２０-2がラジオ局を指定して配信サーバ３０から受信した楽曲コンテンツが、第２携帯端末２０-2から送られてきたか否かを判定する（ステップＳ８）。ステップＳ７でラジオ局のステーション情報を転送してから一定時間を経過しても第２携帯端末２０-2から楽曲コンテンツが送られてこない場合は、図３に示すフローチャートの処理を終了する。
【００４３】
一方、第２携帯端末２０-2から楽曲コンテンツが送られてきた場合、音楽再生部１１はこれを受信して（ステップＳ９）、当該楽曲コンテンツの音楽再生を行う（ステップＳ１０）。この音楽再生が行われている際に、操作受付部１２は、車載機１０に接続する携帯端末を第２の携帯端末２０-2から第１の携帯端末２０-1に切り替えるための操作を受け付けたか否かを判定する（ステップＳ１１）。
【００４４】
ここで、操作受付部１２が第１の携帯端末２０-1に切り替えるための操作を受け付けていない場合、処理はステップＳ９に戻る。一方、操作受付部１２が第１の携帯端末２０-1に切り替えるための操作を受け付けた場合、処理はステップＳ１に戻る。
【００４５】
以上詳しく説明したように、本実施形態では、第１の携帯端末２０-1がラジオ局を指定してインターネットラジオの楽曲コンテンツを受信しているときに、第１の携帯端末２０-1から第２の携帯端末２０-2へ接続を切り替えるための操作が行われた場合、第１の携帯端末２０-1で指定されているラジオ局の識別情報を車載機１０が第１の携帯端末２０-1から取得して第２の携帯端末２０-2に転送し、第２の携帯端末２０-2が当該転送された識別情報に基づいてラジオ局を指定してインターネットラジオの楽曲コンテンツを配信サーバ３０から受信するようにしている。
【００４６】
このように構成した本実施形態によれば、車載機１０と接続する携帯端末を第１の携帯端末２０-1から第２の携帯端末２０-2に切り替えると、そのとき第１の携帯端末２０-1で指定されていたラジオ局の識別情報が、車載機１０経由で第１の携帯端末２０-1から第２の携帯端末２０-2に転送され、第２の携帯端末２０-2でも同じラジオ局を指定してインターネットラジオの楽曲コンテンツを受信することができるようになる。これにより、ユーザが第２の携帯端末２０-2に第１の携帯端末２０-1と同じラジオ局を新たに作成するといった面倒な操作を行うことなく、第１の携帯端末２０-1と同じラジオ局を第２の携帯端末２０-2に引き継いでインターネットラジオの音楽再生を行うことができる。
【００４７】
なお、上記実施形態では、第１の携帯端末２０-1で指定されているラジオ局の識別情報を第２の携帯端末２０-2に転送する例について説明したが、本発明はこれに限定されない。例えば、第１の携帯端末２０-1で指定されているラジオ局のステーション情報そのものを第１の携帯端末２０-1から第２の携帯端末２０-2に転送するようにしてもよい。この場合、第２の携帯端末２０-2の楽曲コンテンツ受信部２２は、第１の携帯端末２０-1から転送されたステーション情報を配信サーバ３０に送信して登録し、当該ステーション情報に基づいて楽曲コンテンツを受信する。
【００４８】
また、上記実施形態では、第２の携帯端末２０-2にのみインストールされているアプリケーションを車載機１０に連携させたい場合に、ユーザが車載機１０を操作することによって第１の携帯端末２０-1から第２の携帯端末２０-2への接続切替を行う例について説明したが、本発明はこれに限定されない。例えば、図４に示すように、車載機１０にバッテリ残量検出部１６を更に設け、車載機１０と接続中である第１の携帯端末２０-1のバッテリ残量が所定値以下になったことを検出した場合に、接続切替部１３ａが、車載機１０と接続する携帯端末を第１の携帯端末２０-1から第２の携帯端末２０-2に自動的に切り替えるようにしてもよい。
【００４９】
あるいは、接続切替部１３ａは、車載機１０と接続中である第１の携帯端末２０-1のバッテリ残量が所定値以下になったことがバッテリ残量検出部１６により検出された場合、接続切替を促すメッセージをディスプレイに出力する。そして、そのメッセージに応じて行われる切り替えのためのユーザ操作に応じて、車載機１０と接続する携帯端末を第１の携帯端末２０-1から第２の携帯端末２０-2に切り替えるようにしてもよい。
【００５０】
ここで、バッテリ残量検出部１６は、車載機１０が携帯端末２０-1，２０-2と接続されている際に、携帯端末２０-1，２０-2自身で検出されたバッテリ残量を表す情報を携帯端末２０-1，２０-2から取得することにより、バッテリ残量が所定値以下になったことを検出することが可能である。
【００５１】
また、図５に示すように、車載機１０に電波強度検出部１７を更に設け、車載機１０と接続中である第１の携帯端末２０-1による受信電波強度が所定値以下になったことを検出した場合に、接続切替部１３ｂが、車載機１０と接続する携帯端末を第１の携帯端末２０-1から第２の携帯端末２０-2に自動的に切り替えるようにしてもよい。
【００５２】
あるいは、接続切替部１３ｂは、車載機１０と接続中である第１の携帯端末２０-1による受信電波強度が所定値以下になったことが電波強度検出部１７により検出された場合、接続切替を促すメッセージをディスプレイに出力する。そして、そのメッセージに応じて行われる切り替えのためのユーザ操作に応じて、車載機１０と接続する携帯端末を第１の携帯端末２０-1から第２の携帯端末２０-2に切り替えるようにしてもよい。
【００５３】
ここで、電波強度検出部１７は、車載機１０が携帯端末２０-1，２０-2と接続されている際に、携帯端末２０-1，２０-2自身で検出された受信電界強度を表す情報を携帯端末２０-1，２０-2から取得することにより、受信電界強度が所定値以下になったことを検出することが可能である。
【００５４】
また、図６に示すように、車載機１０にパケット量検出部１８を更に設け、車載機１０と接続中である第１の携帯端末２０-1におけるパケット通信量が所定値以上になったことを検出した場合に、接続切替部１３ｃが、車載機１０と接続する携帯端末を第１の携帯端末２０-1から第２の携帯端末２０-2に自動的に切り替えるようにしてもよい。
【００５５】
あるいは、接続切替部１３ｃは、車載機１０と接続中である第１の携帯端末２０-1におけるパケット通信量が所定値以上になったことがパケット量検出部１８により検出された場合、接続切替を促すメッセージをディスプレイに出力する。そして、そのメッセージに応じて行われる切り替えのためのユーザ操作に応じて、車載機１０と接続する携帯端末を第１の携帯端末２０-1から第２の携帯端末２０-2に切り替えるようにしてもよい。
【００５６】
ここで、パケット通信量は、携帯端末２０-1，２０-2が所定日（例えば、月の初め）から現在までにサーバから受信したパケット受信量、または、所定日（例えば、月の初め）から現在までにサーバに送信したパケット送信量、または、パケット受信量とパケット送信量との合計パケット量とすることができる。パケット量検出部１８は、車載機１０が携帯端末２０-1，２０-2と接続されている際に、携帯端末２０-1，２０-2自身で検出されたパケット通信量を表す情報を携帯端末２０-1，２０-2から取得することにより、パケット通信量が所定値以上になったことを検出することが可能である。
【００５７】
また、上記実施形態では、第１の携帯端末２０-1から第２の携帯端末２０-2に切り替えて車載機１０と接続し、第２の携帯端末２０-2にのみインストールされているグルメガイドのアプリケーションを車載機１０に連携させる例について説明したが、連携可能なアプリケーションはこれに限定されず、あらゆる種類のものを連携させることが可能である。
【００５８】
ただし、車載機１０と連携されるアプリケーションが、音楽再生機能に関するアプリケーション（インターネットラジオのアプリケーションを除く）である場合、その音楽再生機能に関するアプリケーションで再生された音声と、インターネットラジオのアプリケーションで受信された楽曲コンテンツに基づく再生音声との両方を車載機１０から出力することは好ましくない。
【００５９】
そこで、第２の携帯端末２０-2において車載機１０と連携されるアプリケーションが音楽再生機能に関するアプリケーションでない場合に限り、第１の携帯端末２０-1で指定されているラジオ局のステーション情報または識別情報を第２の携帯端末２０-2に転送するようにしてもよい。その場合の車載機１０の機能構成例を図７に示す。図７に示す例において、車載機１０は、アプリケーション判定部１９を更に備えている。また、ステーション転送部１５に代えてステーション転送部１５ａを備えている。
【００６０】
アプリケーション判定部１９は、第１の携帯端末２０-1がラジオ局を指定してインターネットラジオの楽曲コンテンツを受信中に、接続切替部１３により第１の携帯端末２０-1から第２の携帯端末２０-2への接続切替が行われたときに、第２の携帯端末２０-2において実行中のアプリケーションの種別を判定する。ここで、アプリケーション判定部１９は、第２の携帯端末２０-2で実行中のアプリケーションのカテゴリを表す情報を第２の携帯端末２０-2から取得することにより、第２の携帯端末２０-2において実行中のアプリケーションが音楽再生機能に関するアプリケーションか否かを判定することが可能である。
【００６１】
ステーション転送部１５ａは、接続切替部１３により第１の携帯端末２０-1から第２の携帯端末２０-2への接続切替が行われ、かつ、第２の携帯端末２０-2において音楽再生機能に関するアプリケーションが実行されていないことがアプリケーション判定部１９により判定されたときに、ラジオ局のステーション情報または識別情報を第２の携帯端末２０-2に転送する。
【００６２】
図８は、図７のように構成した車載機１０の動作例を示すフローチャートである。図８に示すフローチャートは、車載機１０と第１の携帯端末２０-1とが接続され、第１の携帯端末２０-1において起動されたインターネットラジオのアプリケーションが車載機１０と連携されたときに開始する。図８に示すフローチャートにおいて、図３に示したフローチャートと異なるのは、ステップＳ６の後にステップＳ２１が追加されている点である。
【００６３】
ステップＳ２１において、アプリケーション判定部１９は、第２の携帯端末２０-2において実行中のアプリケーションの種別を判定する。ここで、第２の携帯端末２０-2において実行中のアプリケーションが音楽再生機能に関するアプリケーションでなかった場合、処理はステップＳ７に進み、ステーション転送部１５ａが、ステップＳ４でステーション取得部１４により取得されたラジオ局の識別情報を第２携帯端末２０-2に転送する。一方、２の携帯端末２０-2において実行中のアプリケーションが音楽再生機能に関するアプリケーションであった場合、図８に示すフローチャートの処理を終了する。
【００６４】
また、上記実施形態では、第１の携帯端末２０-1から第２の携帯端末２０-2に車載機１０経由で転送されたラジオ局のステーション情報または識別情報をステーション情報記憶部２１に記憶させるようにした。第２の携帯端末２０-2に記憶させたこのステーション情報または識別情報は、第２の携帯端末２０-2から第１の携帯端末２０-1に車載機１０との接続を戻したときに、ステーション情報記憶部２１から削除するようにしてもよい。
【００６５】
また、上記実施形態では、車載機１０と携帯端末２０-1，２０-2との間を無線接続する例について説明したが、ＵＳＢ（Universal Serial Bus）等のケーブルを用いて有線接続するようにしてもよい。また、上記実施形態では、音楽再生装置の一例として車載機１０を示したが、これに限定されない。すなわち、携帯端末２０-1，２０-2と接続可能なオーディオ装置全般に適用することが可能である。
【００６６】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６７】
１  音楽再生システム
１０  車載機（音楽再生装置）
１１  音楽再生部
１２  操作受付部
１３，１３ａ，１３ｂ，１３ｃ  接続切替部
１４  ステーション取得部
１５，１５ａ  ステーション転送部
１６  バッテリ残量検出部
１７  電波強度検出部
１８  パケット量検出部
１９  アプリケーション判定部
２０-1，２０-2  携帯端末
３０  配信サーバ
【図１】
2015222848.tif 000003
【図２】
2015222848.tif 000004
【図３】
2015222848.tif 000005
【図４】
2015222848.tif 000006
【図５】
2015222848.tif 000007
【図６】
2015222848.tif 000008
【図７】
2015222848.tif 000009
【図８】
2015222848.tif 000010